(57)【要約】【課題】  床面上に溝を形成しなくとも板材を確実に立設させることができ、一般的な住宅や小規模建設に対しても容易に適用可能な手摺を提供する。【解決手段】  手摺１は、板材２と、上方が開放された略Ｕ字状の凹部３３を有し、被固定面に固定される複数のＵ字型支持金物３と、を備えている。Ｕ字型支持金物３の凹部３３に、板材２の下端部が挿入されるとともに、当該板材２を挟むように膨張性固定用部材３８が充填されることで、板材２が立設されている。【選択図】図２
2015148122.tif 000002
【特許請求の範囲】
【請求項１】
板材と、
上方が開放された略Ｕ字状の凹部を有し、被固定面に固定される複数のＵ字型支持金物と、を備え、
前記Ｕ字型支持金物の前記凹部に、前記板材の下端部が挿入されるとともに、当該板材を挟むように膨張性固定用部材が充填されることで、前記板材が立設されていることを特徴とする手摺。
【請求項２】
請求項１記載の手摺において、
前記複数のＵ字型支持金物の幅の合計は、前記板材の幅の１／２以下であることを特徴とする手摺。
【請求項３】
請求項１又は２記載の手摺において、
前記Ｕ字型支持金物は前記被固定面に複数本のボルトによって固定されていることを特徴とする手摺。
【請求項４】
請求項１〜３のいずれか一項に記載の手摺において、
前記Ｕ字型支持金物における前記凹部をなす壁部の外側面には、上下方向に沿う補強部が設けられていることを特徴とする手摺。
【請求項５】
請求項１〜４の何れか一項に記載の手摺において、
前記板材における露出する部分の下端が直線状となるように、前記板材の下端部を前記Ｕ字型支持金物とともに覆うカバー部材をさらに備えることを特徴とする手摺。
【請求項６】
請求項５記載の手摺において、
前記カバー部材には、前記Ｕ字型支持金物を収容する切欠が設けられていることを特徴とする手摺。
【請求項７】
請求項１〜６の何れか一項に記載の手摺において、
階段がなす傾斜に沿って前記被固定面が形成されていて、
前記板材は、上辺及び下辺が前記被固定面の傾斜に略平行となる略平行四辺形状に形成されていることを特徴とする手摺。
【発明の詳細な説明】
【技術分野】
【０００１】
本発明は、手摺に関する。
【背景技術】
【０００２】
従来、ガラス等の板材を立設させてなる手摺が知られている。このような手摺の場合、板材の下端を床面に埋設して板材が自立しているように見せている。具体的には、長尺の鋼製のアングル材を、床となるコンクリートに埋め込むことにより、床面上に溝を形成し、当該溝に対して板材を差し込む。そして溝内において一定間隔に板材を両側から挟み込むように板材固定用部材を膨張させることで、板材を固定する。これにより板材が自立することになる（例えば特許文献１参照）。
【先行技術文献】
【特許文献】
【０００３】
【特許文献１】特開昭５４−１２９７１６号公報
【発明の概要】
【発明が解決しようとする課題】
【０００４】
しかしながら、上述した手摺は、ある程度以上の規模の建築物に対して設置されることを前提としている。このため、床面上に板材固定用の溝を形成する工法は、一般的な住宅や小規模建築には手間がかかりすぎて不向きなものであった。
このため、本発明の課題は、床面上に溝を形成しなくとも板材を確実に立設させることができ、一般的な住宅や小規模建設に対しても容易に適用可能な手摺を提供することである。
【課題を解決するための手段】
【０００５】
請求項１記載の発明に係る手摺１は、例えば図１〜図１３に示すように、
板材２と、
上方が開放された略Ｕ字状の凹部３３を有し、被固定面１０２ａに固定される複数のＵ字型支持金物３と、を備え、
前記Ｕ字型支持金物３の前記凹部３３に、前記板材２の下端部が挿入されるとともに、当該板材２を挟むように膨張性固定用部材３８が充填されることで、前記板材２が立設されていることを特徴としている。
【０００６】
請求項１記載の発明によれば、被固定面１０２ａに固定された複数のＵ字型支持金物３の凹部３３内に、板材２の下端部が挿入され、なおかつ膨張性固定用部材３８が板材２を挟むように充填されることで板材２が立設しているので、従来のように床面上に板材固定用の溝を形成しなくとも、被固定面１０２ａに固定されたＵ字型支持金物３を介することにより板材２を確実に立設させることができる。したがって、一般的な住宅や小規模建設に対しても容易に適用することができる手摺１を提供することができる。
【０００７】
請求項２記載の発明は、例えば図１に示すように、請求項１記載の手摺１において、
前記複数のＵ字型支持金物３の幅ｗ１，ｗ２の合計は、前記板材２の幅ｗ３の１／２以下であることを特徴としている。
【０００８】
請求項２記載の発明によれば、複数のＵ字型支持金物３の幅ｗ１，ｗ２の合計が、板材２の幅ｗ３の１／２以下であるので、Ｕ字型支持金物３の幅を必要以上に長くせずに済む。これによって、Ｕ字型支持金物３を取り扱いしやすくなるので施工性の向上を図ることができる。また、製造にかかるコストも低減できる。さらに板材２とＵ字型支持金物３との見た目上のバランスをよくすることができる。
【０００９】
請求項３記載の発明は、例えば図３に示すように、請求項１又は２記載の手摺１において、
前記Ｕ字型支持金物３は前記被固定面１０２ａに複数本のボルト３４によって固定されていることを特徴としている。
【００１０】
請求項３記載の発明によれば、複数本のボルト３４によってＵ字型支持金物３が被固定面１０２ａに固定されているので、従来のように床面に溝を形成し当該溝内に板材を固定する場合と比しても簡易な構成とすることができる。
また、単にＵ字型支持金物３が接着剤によって被固定面１０２ａに固定されていると、板厚方向に力が作用した際にＵ字型支持金物３を被固定面１０２ａから引きはがす力が作用してしまうため、長期間にわたる安定性に疑問が残る。しかしながら、ボルト３４によってＵ字型支持金物３が被固定面１０２ａに固定されていれば引きはがす方向に力が作用したとしてもＵ字型支持金物３を強固に被固定面１０２ａ上に維持することができ、長期間にわたる安定性を確保することができる。
【００１１】
請求項４記載の発明は、例えば図２に示すように、請求項１〜３のいずれか一項に記載の手摺１において、
前記Ｕ字型支持金物３における前記凹部３３をなす壁部３２の外側面には、上下方向に沿う補強部３７が設けられていることを特徴としている。
【００１２】
請求項４記載の発明によれば、上下方向に沿う補強部３７が凹部３３をなす壁部３２の外側面に設けられているので、補強部３７によって壁部３２の強度が高められることとなり、ひいてはＵ字型支持金物３自体の強度も高められることとなる。
また、板材２に対して板厚方向に力が作用した際には壁部３２においても壁厚方向の力が作用する。この壁厚方向の力が作用したとしても補強部３７が設けられていれば、壁部３２を撓ませにくくすることができ、壁部３２の破損を防止することが可能となる。
【００１３】
請求項５記載の発明は、例えば図１，１０，１１に示すように、請求項１〜４の何れか一項に記載の手摺１において、
前記板材２の下端部を前記Ｕ字型支持金物３とともに覆うカバー部材４Ａをさらに備えることを特徴としている。
【００１４】
請求項５記載の発明によれば、板材２の下端部をカバー部材４，４Ａ，４ＢがＵ字型支持金物３とともに覆っているので、板材２の下端部の見栄えをよくすることができる。また、Ｕ字型支持金物３及びカバー部材４，４Ａ，４Ｂをさらに覆うように化粧板を設ける場合には、カバー部材４，４Ａ，４Ｂをその下地材として用いることもできる。
【００１５】
請求項６記載の発明は、例えば、図１，１０に示すように、請求項５記載の手摺１において、
前記カバー部材４，４Ａには、前記Ｕ字型支持金物３を収容する切欠４１が設けられていることを特徴としている。
【００１６】
請求項６記載の発明によれば、Ｕ字型支持金物３を収容する切欠４１がカバー部材４に設けられているので、Ｕ字型支持金物３とカバー部材４とを一体化することができ、Ｕ字型支持金物３の目立たない統一感のある見た目を印象づけることができる。また、Ｕ字型支持金物３及びカバー部材４，４Ａをさらに覆うように化粧板を設ける場合には、Ｕ字型支持金物３がその妨げにならなくなり、施工性の向上を図ることができる。
【００１７】
請求項７記載の発明は、例えば図４に示すように、請求項１〜６の何れか一項に記載の手摺１において、
前記被固定面１０２ａは、階段１００に沿って設けられるとともに当該階段１００の昇降方向に沿った傾斜面とされており、
前記板材２は、上辺及び下辺が前記被固定面１０２ａの傾斜に略平行となる略平行四辺形状に形成されていることを特徴としている。
【００１８】
請求項７記載の発明によれば、被固定面１０２ａが、階段１００に沿って設けられるとともに当該階段１００の昇降方向に沿った傾斜面とされていて、なおかつ板材２の上辺及び下辺が被固定面１０２ａの傾斜に略平行となる略平行四辺形状に形成されているので、階段１００に沿って設けられた被固定面１０２ａ上に従来のような溝部を形成することが不要となり、簡易な構成を採用できるとともに、見栄えのよい手摺１を提供することができる。
【発明の効果】
【００１９】
本発明によれば、被固定面上に溝を形成しなくとも板材を確実に立設させることができ、一般的な住宅や小規模建設に対しても容易に適用可能な手摺を提供することができる。
【図面の簡単な説明】
【００２０】
【図１】本実施形態に係る手摺の概略構成を示す分解斜視図である。
【図２】本実施形態に係るＵ字型支持金物の概略構成を示す斜視図である。
【図３】本実施形態に係るＵ字型支持金物を収容した状態の切欠を示す正面図である。
【図４】本実施形態に係る手摺の設置工程の一工程を示す斜視図である。
【図５】本実施形態に係る手摺の設置工程の一工程を示す斜視図である。
【図６】本実施形態に係る手摺の設置工程の一工程を示す斜視図である。
【図７】本実施形態に係る手摺の設置工程の一工程を示す斜視図である。
【図８】本実施形態に係る手摺の設置工程の一工程を示す斜視図である。
【図９】本実施形態に係る手摺の設置工程の一工程を示す斜視図である。
【図１０】本実施形態に係るカバー部の変形例を示す斜視図である。
【図１１】本実施形態に係るカバー部の変形例を示す斜視図である。
【図１２】図１０におけるXII-XII切断線から見た断面図である。
【図１３】本実施形態に係るＵ字型支持金物の変形例を示す斜視図である。
【図１４】本実施形態に係るＵ字型支持金物の変形例を示す斜視図である。
【図１５】本実施形態に係る板材の変形例を示す斜視図である。
【図１６】本実施形態に係る板材の変形例を示す斜視図である。
【図１７】本実施形態に係る手摺の変形例を示す斜視図である。
【発明を実施するための形態】
【００２１】
以下、図面を参照して本発明の実施の形態について説明する。
図１は、本実施形態に係る手摺の概略構成を示す分解斜視図である。手摺１は階段１００（図４参照）に設置されるものである。手摺１には、板材２と、立設した板材２を支持するＵ字型支持金物３と、板材２の下端部を全幅に亘って挟持するカバー部材４とが設けられている。
【００２２】
板材２は、例えばガラス板であり、階段１００の傾斜に合わせて、上辺及び下辺が水平面に対し傾斜した略平行四辺形状に形成されている。板材２の下端部２１は、床に当接するように面取りされている。
【００２３】
Ｕ字型支持金物３は、複数（本実施形態では２つ）備えられており、板材２の下端部における両端部に設けられている。Ｕ字型支持金物３は、上方が開放された略Ｕ字状の凹部３３を有するＵ字型支持金物である。なお、複数のＵ字型支持金物の幅ｗ１，ｗ２の合計は、板材２の幅ｗ３の１／２以下である。
【００２４】
図２はＵ字型支持金物３の概略構成を示す斜視図である。
図２に示すようにＵ字型支持金物３には、被固定面に固定される底板３１と、底板３１から立設する一対の壁部３２とを備えており、底板３１の上面及び一対の壁部３２の内面とによって凹部３３が形成されている。
底板３１には、固定用のボルト３４が挿通される複数の貫通孔３５が一対の壁部３２よりも外側の位置に形成されている。
一対の壁部３２は、外側が開放された上面視略コ字状に形成されていて、互いの背板３６が間隔を空けて対峙するように配置されている。また背板３６の両端部には、外側に向けて突出し、底板３１から上下方向に一様に延在する補強部３７が一体的に設けられている。
互いの背板３６がなす間隔、つまり凹部３３内には、板材２の下端部が挿入されるとともに、当該板材２を挟むように膨張性固定用部材３８が充填される。これにより、板材２がＵ字型支持金物３に固定されて立設されることになる。
【００２５】
カバー部材４は、階段１００側と板材２を挟んでその反対側にそれぞれ設けられていて、上面が階段１００の各段差に対応した段状に形成されている。カバー部材４の底面は、階段１００の傾斜に合わせて水平面に対して傾斜している。このカバー部材４の底面には、Ｕ字型支持金物３を収容する切欠４１が両端部に設けられている。
【００２６】
図３は、Ｕ字型支持金物３を収容した状態の切欠４１を示す正面図である。図３に示すように、切欠４１は、カバー部材４の底面に対して略矩形状に形成されている。この切欠４１は、Ｕ字型支持金物３よりも大きく形成されている。
【００２７】
そして、カバー部材４に対しては、切欠４１を閉塞するように重なる化粧板５が設けられている（図８，図９参照）。この化粧板５は例えば石膏ボード等である。階段１００側のカバー部材４に重なる化粧板５Ａの外形は、前記カバー部材４の切欠４１が埋まった形状に対応するように形成されている。他方、前記反対側のカバー部材４に重なる化粧板５Ｂの外形は、前記カバー部材４から床まで覆うように形成されている。
【００２８】
次に、本実施形態に係る手摺１の設置工程について説明する。
図４に示すように、すでに壁１０１沿いに設置された階段１００の前記反対側の側面に対して、当該階段１００と同じように傾斜した桁材である二本の半割１０２を重ねて固定する。この半割１０２の上面（傾斜面）がＵ字型支持金物３を固定する被固定面１０２ａとなる。これにより、被固定面１０２ａが階段１００に沿って設けられるとともに当該階段１００の昇降方向に沿った傾斜面となる。
【００２９】
次に、図５に示すように、半割１０２の下方に補強用の柱１０３を立てて、当該補強用の柱１０３で半割１０２を支持する。
【００３０】
次に、図６に示すように、予め所定の位置に２つのＵ字型支持金物３が取り付けられた板材２を半割１０２の被固定面１０２ａ上に固定する。具体的にはＵ字型支持金物３と半割１０２とは、底板３１の複数の貫通孔３５に固定用のボルト３４を挿通し半割１０２に打ち込むことで固定される（図３参照）。
【００３１】
次に、図７に示すように、板材２の下端部における階段１００側と前記反対側のそれぞれの面に対してカバー部材４が重なるように、半割１０２上にカバー部材４を取り付ける。このとき、切欠４１内にＵ字型支持金物３が収まるように位置合わせをする。
【００３２】
次に、図８に示すように、階段１００側のカバー部材４に対して化粧板５Ａを重ねて固定する。
次に、図９に示すように、前記反対側のカバー部材４に対して化粧板５Ｂを重ねて固定する。
これにより、手摺１の設置が完了する。
【００３３】
以上のように、本実施形態によれば、被固定面１０２ａに固定された複数のＵ字型支持金物３の凹部３３内に、板材２の下端部が挿入され、なおかつ膨張性固定用部材３８が板材２を挟むように充填されることで板材２が立設しているので、従来のように被固定面上に板材固定用の溝を形成しなくとも、被固定面１０２ａに固定されたＵ字型支持金物３を介することにより板材２を確実に立設させることができる。したがって、一般的な住宅や小規模建設に対しても容易に適用することができる手摺を提供することができる。
【００３４】
また、複数のＵ字型支持金物３の幅ｗ１，ｗ２の合計が、板材２の幅ｗ３の１／２以下であるので、Ｕ字型支持金物３の幅を必要以上に長くせずに済む。これによって、Ｕ字型支持金物３を取り扱いしやすくなるので施工性の向上を図ることができる。また、製造にかかるコストも低減できる。さらに、板材２とＵ字型支持金物３との見た目上のバランスをよくすることができる。
【００３５】
また、複数本のボルト３４によってＵ字型支持金物３が被固定面１０２ａに固定されているので、被固定面１０２ａに溝を形成し当該溝内に板材２を固定する場合と比しても簡易な構成とすることができる。
また、単にＵ字型支持金物３が接着剤によって被固定面１０２ａに固定されていると、板厚方向に力が作用した際にＵ字型支持金物３を被固定面１０２ａから引きはがす力が作用してしまうため、長期間にわたる安定性に疑問が残る。しかしながら、ボルト３４によってＵ字型支持金物３が被固定面１０２ａに固定されていれば引きはがす方向に力が作用したとしてもＵ字型支持金物３を強固に被固定面１０２ａ上に維持することができ、長期間にわたる安定性を確保することができる。
【００３６】
また、上下方向に沿う補強部３７が凹部３３をなす壁部３２の外側面に設けられているので、補強部３７によって壁部３２の強度が高められることとなり、ひいてはＵ字型支持金物３自体の強度も高められることとなる。
また、板材２に対して板厚方向に力が作用した際には壁部３２においても壁厚方向の力が作用する。この壁厚方向の力が作用したとしても補強部３７が設けられていれば、壁部３２を撓ませにくくすることができ、壁部３２の破損を防止することが可能となる。
【００３７】
また、板材２の下端部をカバー部材４がＵ字型支持金物３とともに覆っているので、板材２の下端部の見栄えをよくすることができる。また、Ｕ字型支持金物３及びカバー部材４をさらに覆うように化粧板５を設ける場合には、カバー部材４をその下地材として用いることもできる。
また、Ｕ字型支持金物３を収容する切欠４１がカバー部材４に設けられているので、Ｕ字型支持金物３とカバー部材４とを一体化することができ、Ｕ字型支持金物３の目立たない統一感のある見た目を印象づけることができる。また、Ｕ字型支持金物３及びカバー部材４をさらに覆うように化粧板５を設ける場合には、Ｕ字型支持金物３がその妨げにならなくなり、施工性の向上を図ることができる。
【００３８】
また、被固定面１０２ａが、階段１００に沿って設けられるとともに当該階段１００の昇降方向に沿った傾斜面とされていて、なおかつ板材２の上辺及び下辺が被固定面１０２ａの傾斜に略平行となる略平行四辺形状に形成されているので、階段１００に沿って設けられた被固定面１０２ａ上に従来のような溝部を形成することが不要となり、簡易な構成を採用できるとともに、見栄えのよい手摺１を提供することができる。
【００３９】
なお、本発明は上記実施形態に限らず適宜変更可能である。
例えば、本実施形態では、ガラス板からなる板材２を例示して説明したが、板材としてはアクリル板や木板など、ガラス板以外の板状部材を用いることが可能である。
【００４０】
また、上記実施形態では、カバー部材４が階段１００の各段差に対応した形状に形成されている場合を例示して説明したが、例えば図１０に示すように、板材２における露出する部分の下端が直線状となるような形状のカバー部材４Ａを用いてもよい。また、板材２における露出する部分の下端が直線状になるのであれば、図１１に示すように、複数のＵ字型支持金物３の間に配置され、なおかつＵ字型支持金物３の上面と面一となるカバー部材４Ｂを設けるようにしてもよい。
このように板材２における露出する部分の下端が直線状となるように、板材２の下端部をカバー部材４Ａ，４ＢがＵ字型支持金物３とともに覆っているので、板材２の下端部の見栄えをよくすることができる。
図１２は、図１０におけるXII-XII切断線から見た断面図である。この図１２に示すように、Ｕ字型支持金物３の一対の背板３６の間には、板材２を挟むように膨張性固定用部材３８が設けられている。また、板材２と底板３１との間には例えばゴムなどのクッション材５０が設けられている。
【００４１】
また、上記実施形態では、本発明に係る手摺として階段１００に設置された手摺１を例示して説明したが、平らな被固定面に設置される手摺に対しても本発明に係る構成は適用可能である。
また、上記実施形態では、Ｕ字型支持金物３が２つ所定の間隔を空けて配置されている場合を例示して説明したが、Ｕ字型支持金物３は３つ以上設けられていてもよく、また板材２を安定して支持できるのであればＵ字型支持金物３は１つであってもよい。
【００４２】
また、上記実施形態では、Ｕ字型支持金物３の補強部３７が、背板３６の両端部に設けられて、底板３１から上下方向に一様に延在している場合を例示して説明したが、補強部３７の形状や設置箇所はこれに限定されるものではない。例えば、図１３に示すように背板３６の略中央に設けられた補強部３７Ａや、図１４に示すように背板３６の両端部に設けられ下方に向かって徐々に厚みを増す補強部３７Ｂ等が挙げられる。
【００４３】
なお、上記実施形態では、平面上の板材２をＵ字型支持金物３で支持する場合を例示して説明したが、図１５に示すＬ字状の板材２Ａや、角がＲ状となった板材などのようなコーナー部用の立体的な板材をＵ字型支持金物３で支持することも可能である。
また、図１６に示すような湾曲した板材２ＢをＵ字型支持金物３で支持することも可能である。なお、そうする場合、Ｕ字型支持金物３の形状を板材２Ｂの湾曲に合わせる必要がある。湾曲した板材２Ｂを組み合わせれば図１７に示すように円弧状の手摺１Ｂを形成することも可能である。
【符号の説明】
【００４４】
１      手摺
２      板材
３      Ｕ字型支持金物
４      カバー部材
５      化粧板
２１      下端部
３１      底板
３２      壁部
３３      凹部
３４      ボルト
３５      貫通孔
３６      背板
３７      補強部
３８      膨張性固定用部材
４１      切欠
１００      階段
１０１      壁
１０２      半割
１０２ａ    被固定面
１０３      柱
【図１】
2015148122.tif 000003
【図２】
2015148122.tif 000004
【図３】
2015148122.tif 000005
【図４】
2015148122.tif 000006
【図５】
2015148122.tif 000007
【図６】
2015148122.tif 000008
【図７】
2015148122.tif 000009
【図８】
2015148122.tif 000010
【図９】
2015148122.tif 000011
【図１０】
2015148122.tif 000012
【図１１】
2015148122.tif 000013
【図１２】
2015148122.tif 000014
【図１３】
2015148122.tif 000015
【図１４】
2015148122.tif 000016
【図１５】
2015148122.tif 000017
【図１６】
2015148122.tif 000018
【図１７】
2015148122.tif 000019